(57)【特許請求の範囲】
【請求項１】
複数の光束を射出する光源部と、前記光束を偏向する偏向手段とを備え、前記偏向手段により偏向された前記光束を被走査面上に結像させ走査させる走査光学装置であって、
前記光源部は、
複数の発光素子と、
前記複数の発光素子から射出された複数の光束をそれぞれ平行光にする、複数の第１レンズと、
前記複数の第１レンズから射出された平行光をそれぞれ通過させる複数のスリットが形成されたスリット部と、
前記スリット部を通過した平行光を副走査方向に収束する、単一の第２レンズと、
少なくとも前記複数の第１レンズと前記第２レンズとを配設するためのハウジングと、
前記複数の第１レンズを前記ハウジングの第１レンズ固定位置に固定する第１固定部と、
前記第２レンズを前記ハウジングの第２レンズ固定位置に固定する第２固定部と、
を有し、
前記第１固定部、前記第２固定部および前記スリット部が、単一の固定部材として一体的に形成されていることを特徴とする走査光学装置。
【請求項２】
前記第１固定部は、前記複数の第１レンズのそれぞれを個別に押圧可能な複数の押圧部を有し、前記複数の第１レンズのそれぞれを前記第１レンズ固定位置の内壁に対して押圧することにより固定することを特徴とする請求項１に記載の走査光学装置。
【請求項３】
前記複数の第１レンズは、それぞれが鏡枠によって保持されていることを特徴とする請求項１に記載の走査光学装置。
【請求項４】
前記第１固定部は、前記複数の第１レンズの鏡枠のそれぞれを個別に押圧可能な複数の押圧部を有し、前記複数の第１レンズのそれぞれを前記第１レンズ固定位置の内壁に対して押圧することにより固定することを特徴とする請求項３に記載の走査光学装置。
【請求項５】
前記固定部材は、前記ハウジングに固定される被固定部を有し、
前記複数の押圧部は、前記固定手段が前記ハウジングに固定された状態で、弾性変形しており、その復元力により押圧することを特徴とする請求項２または４に記載の走査光学装置。
【請求項６】
前記第２固定部は、一端が前記スリット部に結合しており、他端が自由端であり、前記スリット部と前記第２レンズとの間に配置され、且つ前記複数のスリットを通過した平行光を通す開口部が形成された板状部であることを特徴とする請求項１から５のいずれかに記載の走査光学装置。
【請求項７】
前記第２固定部は、前記第２レンズが前記第２レンズ固定位置に配置された状態では、弾性変形により当該板状部が前記スリット部側に変位した状態にあることにより、前記第２レンズを前記第２レンズ固定位置の内壁に対して押圧することにより固定することを特徴とする請求項６に記載の走査光学装置。
【請求項８】
前記板状部は、前記一端から前記自由端の間であって前記開口部を有する位置のうちの少なくとも一箇所において、前記第２レンズ側に凸となるように屈曲しており、当該屈曲する位置において前記第２レンズに当接することを特徴とする請求項６または７に記載の走査光学装置。
【請求項９】
前記光源部から射出される複数の光束が、前記偏向手段の偏向面近傍で互いに収束するように前記光源部が構成されていることを特徴とする請求項１から８のいずれかに記載の走査光学装置。
【請求項１０】
前記複数の発光素子及び前記複数の第１レンズが略副走査方向に一列に配列されていることを特徴とする請求項１から９のいずれかに記載の走査光学装置。
【請求項１１】
前記走査光学装置は、前記複数の光束をそれぞれ対応する複数の被走査面上に結像させ走査させることを特徴とする請求項１から１０のいずれかに記載の走査光学装置。
【発明の詳細な説明】
【技術分野】
【０００１】
この発明は、複数の光束を射出する光源部と、その複数の光束を偏向する偏向手段とを備え、当該偏向手段により偏向された複数の光束を被走査面上で結像させ走査させる走査光学装置に関する。
【背景技術】
【０００２】
特許文献１には、複数の光束を射出する光源部と、当該光束を偏向する偏向手段とを具備し、偏向手段により偏向された光束を被走査面上に結像させ走査させるマルチビーム走査装置が記載されている。このマルチビーム走査装置の光源部には、半導体レーザダイオード（ＬＤ）と、コリメートレンズとが当該光源部のベース部に固定されている。光源部から射出されたレーザ光は、シリンダレンズを介して、ポリゴンミラーに入射する。
【０００３】
特許文献２には、２本のレーザ光を射出する光源と、２つのコリメートレンズと、２つのアパーチャと、偏向器とを有するマルチビーム走査装置が記載されている。光源から射出された２本のレーザ光は、それぞれ対応するコリメートレンズとアパーチャを経た後、偏向器に入射する。この装置では、２つのアパーチャは同一部材に形成されている。
【０００４】
【特許文献１】特開２００１−４９４１号公報
【特許文献２】特開２００１−１３４３２号公報
【発明の開示】
【発明が解決しようとする課題】
【０００５】
上記特許文献１，２に記載のマルチビーム走査装置では、コリメートレンズ、アパーチャ、シリンダレンズ等の光学部材をそれぞれ固定するための手段が必要であるため、組立部品が複数必要になると共に、その分の組立工数も必要であった。
【０００６】
本発明は、上記の事情に鑑みてなされたものであり、複数のレーザ光を用いた走査光学装置において、従来と比して、部品点数及び組立工数を削減した走査光学装置を提供することを目的とするものである。
【課題を解決するための手段】
【０００７】
上記の課題を解決するために、本発明は、複数の光束を射出する光源部と、光束を偏向する偏向手段とを備え、偏向手段により偏向された光束を被走査面上に結像させ走査させる走査光学装置であって、光源部は、複数の発光素子と、複数の発光素子から射出された複数の光束をそれぞれ平行光にする複数の第１レンズと、複数の第１レンズから射出された平行光をそれぞれ通過させる複数のスリットが形成されたスリット部と、スリット部を通過した平行光を副走査方向に収束する単一の第２レンズと、少なくとも複数の第１レンズと第２レンズとを配設するためのハウジングと、複数の第１レンズをハウジングの第１レンズ固定位置に固定する第１固定部と、第２レンズをハウジングの第２レンズ固定位置に固定する第２固定部と、を有し、第１固定部、第２固定部およびスリット部が、単一の固定部材として一体的に形成されていることを特徴とする走査光学装置を提供する。
【０００８】
この構成によれば、光源部において、１つの固定手段を用いて、複数のコリメートレンズとシリンダレンズとを固定することができる。また、当該固定手段には、スリットが形成されている。したがって、従来と比して、走査光学装置における部品点数及び組立工数を削減することができる。
【０００９】
また、本発明の走査光学装置では、上記第１固定部は、複数の第１レンズのそれぞれを個別に押圧可能な複数の押圧部を有し、複数の第１レンズのそれぞれを第１レンズ固定位置の内壁に対して押圧することにより固定する。また、複数の第１レンズは、それぞれが鏡枠によって保持されていてもよい。その場合、上記第１固定部は、複数の第１レンズの鏡枠のそれぞれを個別に押圧可能な複数の押圧部を有し、複数の第１レンズのそれぞれを第１レンズ固定位置に対して押圧することにより固定する。
【００１０】
また、上記固定部材は、ハウジングに固定される被固定部を有している。上記複数の押圧部は、固定手段がハウジングに固定された状態で、弾性変形しており、その復元力により押圧するよう構成されている。
【００１１】
また、上記第２固定部は、一端が前記スリット部に結合しており、他端が自由端であり、スリット部と第２レンズとの間に配置され、且つ複数のスリットを通過した平行光を通す開口部が形成された板状部である。
【００１２】
また、第２固定部は、第２レンズが第２レンズ固定位置に配置された状態では、弾性変形により当該板状部がスリット部側に変位した状態にあることにより、第２レンズを第２レンズ固定位置の内壁に対して押圧することにより固定する。
【００１３】
また、上記板状部は、その一端から自由端の間であって開口部を有する位置のうちの少なくとも一箇所において、第２レンズ側に凸となるように屈曲しており、当該屈曲する位置において第２レンズに当接するよう構成されている。
【００１４】
また、光源部から射出される複数の光束が、偏向手段の偏向面近傍で互いに収束するように光源部が構成されている。
【００１５】
また、複数の発光素子及び複数の第１レンズは略副走査方向に一列に配列されている。
【００１６】
また、走査光学装置は、複数の光束をそれぞれ対応する複数の被走査面上に結像させ走査させる。
【発明の効果】
【００１７】
したがって、本発明によれば、従来と比して、部品点数及び組立工数を削減した走査光学装置を提供することができる。
【発明を実施するための最良の形態】
【００１８】
以下、図面を参照して、本発明に係る走査光学装置の実施形態について説明する。
【００１９】
図１は、本発明の実施形態における走査光学装置１の斜視図であり、装置内部を示した図である。図２は、走査光学装置１内における各種光学部材の位置関係と、レーザ光の光路を示した模式図である。
【００２０】
走査光学装置１は、ハウジング２内に、光源ユニット１００、ポリゴンミラー１０、コリメートミラー１５、第１レンズ２０、反射ミラー３１〜３８、第２レンズ４１〜４４を備えている。走査光学装置１では、第１レンズ２０と第２レンズ（４１〜４４のいずれか）の組み合わせで、ｆθレンズを構成している。走査光学装置１は、光源ユニット１００から４つのレーザ光を射出し、４つのレーザ光をそれぞれ対応する被走査面上に結像させて走査する装置である。走査光学装置１は、例えば、カラーレーザプリンタに用いられるタンデム式の走査光学装置であり、４つのレーザ光はそれぞれＹ，Ｍ，Ｃ，Ｋの各色に対応する。
【００２１】
各レーザ光はポリゴンミラー１０により偏向されて走査される。本明細書中においては、各レーザ光において、各レーザ光の光軸に垂直な方向であって、ポリゴンミラー１０により走査される方向を主走査方向という。長尺の反射ミラー３１〜３８や第２レンズ４１〜４４等は、その長手方向が主走査方向となるように配置されている。この主走査方向の定義は、ポリゴンミラー１０により偏向される前のレーザ光においても用いるものとする。また、各レーザ光の光軸と主走査方向に垂直な方向を副走査方向というものとする。なお、各レーザ光は、後述するようにそれぞれの光軸が平行とはなっていないため、副走査方向は、レーザ光ごとに異なる。本明細書中では、レーザ光ごとの副走査方向を説明する際には上記定義を適用するが、４つのレーザ光に対して（光源ユニット１００に対して）副走査方向というときには、ポリゴンミラー１０の回転軸に沿った方向を副走査方向とするものとする。
【００２２】
図１，２における各種光学部材の位置関係をレーザ光の光路と共に説明するために、先に、レーザ光を射出する光源ユニット１００について図３を用いて説明する。図３は、光源ユニット１００の内部構成および射出されるレーザ光の光路を示した図である。なお、図３では、射出されたレーザ光の光路を展開して示している。すなわち、各レーザ光は、ポリゴンミラー１０等で反射されるが、説明の便宜上、それらの光軸が紙面上にくるように図示した。
【００２３】
光源ユニット１００は、４つのＬＤ１０１〜１０４と、４つのコリメートレンズ１１１〜１１４と、４つのアパーチャスリット（図５において詳述する１２１〜１２４）と、シリンダレンズ１３０を有する。４つのＬＤ１０１〜１０４は、副走査方向に沿って一列に配列されている。４つのアパーチャスリット（１２１〜１２４）は、後述するように固定部材３００に形成されている。シリンダレンズ１３０は、副走査方向にのみパワーを持つレンズである。
【００２４】
ＬＤ１０１〜１０４から射出された発散レーザ光は、それぞれ、コリメートレンズ１１１〜１１４により平行光とされた後、４つのアパーチャスリット（１２１〜１２４）を通過することによりビーム整形がなされ、シリンダレンズ１３０により副走査方向に収束する収束光となって、光源ユニット１００から射出される。本明細書中においては、ＬＤ１０１〜１０４から射出されたレーザ光をそれぞれＬ１〜Ｌ４というものとする。
【００２５】
シリンダレンズ１３０は、レーザ光Ｌ１〜Ｌ４の各々がポリゴンミラー１０の偏向面１０Ａ近傍（偏向点Ｐ）で副走査方向に収束するように設計されている。また、４つのレーザ光Ｌ１〜Ｌ４が互いに偏向点Ｐで収束するように、４つのＬＤ１０１〜１０４はその出射角度が調整されている。シリンダレンズ１３０から射出したレーザ光Ｌ１〜Ｌ４は、コリメートミラー１５で反射された後、偏向点Ｐへ向かう。偏向点Ｐにおいて偏向されたレーザ光Ｌ１〜Ｌ４は、第１レンズ２０に入射する。
【００２６】
図２に戻って説明を続けるが、レーザ光Ｌ１は、第１レンズ２０を透過した後、反射ミラー３１及び３２で反射され、第２レンズ４１に入射する。レーザ光Ｌ２は、第１レンズ２０を透過した後、反射ミラー３３及び３４で反射され、第２レンズ４２に入射する。レーザ光Ｌ３は、第１レンズ２０を透過した後、反射ミラー３５及び３６で反射され、第２レンズ４３に入射する。レーザ光Ｌ４は、第１レンズ２０を透過した後、反射ミラー３７及び３８で反射され、第２レンズ４４に入射する。第２レンズ４１〜４４を通過したレーザ光Ｌ１〜Ｌ４は、それぞれ対応する被走査面上（不図示）に結像する。ポリゴンミラー１０の偏向により、レーザ光Ｌ１〜Ｌ４は、それぞれの被走査面上に走査される。被走査面としては、例えば、感光ドラム表面が挙げられる。
【００２７】
図４は、光源ユニット１００の斜視図である。光源ユニット１００は、基部２００と、コリメートレンズ１１１〜１１４を備える鏡枠１１〜１４と、シリンダレンズ１３０と、鏡枠１１〜１４とシリンダレンズ１３０を固定するための固定部材３００とを有する。
【００２８】
鏡枠１１〜１４は、コリメートレンズ１１１〜１１４を保持する筒状部材である。基部２００には、鏡枠１１〜１４が配置されるスペースＳ１と、シリンダレンズ１３０を配置するスペースＳ２とが形成されている。基部２００には、スペースＳ１とスペースＳ２とを仕切る仕切り部２０１が形成されている。さらに、基部２００には、スペースＳ２において、仕切り部２０１に対向する位置に、シリンダレンズ１３０の位置決めのためのコの字形状の壁２０２が形成されている。
【００２９】
また、基部２００のスペースＳ１において、仕切り部２０１に対向する位置には、ＬＤが取り付けられる壁２０３があり、壁２０３にＬＤ１０１〜１０４を位置決めし保持するための貫通孔２１１〜２１４が形成されている。鏡枠１１〜１４のそれぞれは、スペースＳ１において、貫通孔２１１〜２１４の位置に合わせて配置される。すなわち、鏡枠１１〜１４は、貫通孔２１１〜２１４のそれぞれに配置されたＬＤ１０１〜１０４からの光がコリメートレンズ１１１〜１１４に入射する位置に配置される。仕切り部２０１には、コリメートレンズ１１１〜１１４から射出された平行光が通過できるように、貫通孔２２１〜２２４が形成されている（図３参照）。
【００３０】
固定部材３００は、仕切り部２０１に固定される。具体的には、固定部材３００の孔３００ｂに仕切り部２０１に形成された突起部２０１ａが嵌め込まれることにより、固定部材３００が位置決めされ、その後、固定部材３００は孔３００ａ，ｃを介してネジ止めされる。
【００３１】
次に、図５を参照して、固定部材３００の構造について詳述する。図５（ａ）は固定部材３００の斜視図であり、図５（ｂ）は固定部材３００を図５（ａ）中矢印Ａ方向に見た図であり、図５（ｃ）は固定部材３００を図５（ａ）中矢印Ｂ方向に見た図である。
【００３２】
固定部材３００は、鏡枠固定部３１０と、アパーチャスリット形成部３２０と、シリンダレンズ固定部３３０とが一体的に形成された部材である。固定部材３００は、例えは金属板をプレス加工によって打ち抜き、折り曲げることによって形成された板金部材である。或いは、固定部材３００は樹脂成型品であってもよい。
【００３３】
鏡枠固定部３１０は、略長方形状の板部であり、その一辺からは略垂直に略長方形状の板部であるアパーチャスリット形成部３２０が延びている。アパーチャスリット形成部３２０において鏡枠固定部３１０と繋がっている辺に隣接する辺のうちの一方からシリンダレンズ固定部３３０が延びている。シリンダレンズ固定部３３０は、この辺近傍において折り返されており、アパーチャスリット形成部３２０と対向する位置に配置されている。
【００３４】
鏡枠固定部３１０は、櫛状に形成された４つの押圧部３１１〜３１４を有する。４つの押圧部３１１〜３１４にはそれぞれ、鏡枠１１〜１４に当接する部位である当接部３１１Ａ〜３１４Ａが設けられている。また、鏡枠固定部３１０には、固定部材３００を光源ユニット１００の基部２００に固定するための上述した孔３００ａ、３００ｂ、３００ｃが形成されている。
【００３５】
図５（ｂ）は、固定部材３００が基部２００に固定されたと仮定した場合の、固定部材３００と鏡枠１１の位置関係を示している。固定部材３００の初期状態（外力が加えられていない状態）は、当接部３１１Ａが鏡枠１１と重複する位置となる。すなわち、固定部材３００が基部２００に固定された状態（図４に示す状態）では、押圧部３１１が弾性変形しており、それにより生じた復元力により、当接部３１１Ａが鏡枠１１を押圧した状態となる。鏡枠１１は、基部２００内において、押圧部３１１に対向する内壁との間で挟持される。押圧部３１２〜３１４においても同様の構成であり、それぞれ鏡枠１２〜１４を押圧し挟持する。また、押圧部３１１〜３１４は互いに離間しているため、それぞれ独立して鏡枠１１〜１４を押圧することができる。すなわち、押圧部３１１〜３１４は、隣接する押圧部の弾性変形状態により影響を受けることなく、それぞれの鏡枠を押圧することができる。
【００３６】
アパーチャスリット形成部３２０は、鏡枠固定部３１０に対して略直角となるように形成されており、アパーチャスリット１２１〜１２４を有する。アパーチャスリット１２１〜１２４は、副走査方向に沿って一列に配列されており、主走査方向に長い略長方形の形状を有する。固定部材３００を基部２００に固定した状態では、貫通孔２２１〜２２４（図３）とアパーチャスリット１２１〜１２４が連通する。貫通孔２２１〜２２４を通過した平行光は、アパーチャスリット１２１〜１２４を通ることにより整形される。
【００３７】
シリンダレンズ固定部３３０は、アパーチャスリット形成部３２０の副走査方向の一端から延出して形成されている。シリンダレンズ固定部３３０は、開口部３３０Ａを有する。シリンダレンズ固定部３３０の各部分は、基端部であって湾曲した部分を湾曲部３３１と、副走査方向中央部付近の折れ曲がった部分を屈曲部３３２と、先端部分を先端部３３３というものとする。シリンダレンズ固定部３３０は、シリンダレンズ１３０側に凸となるように屈曲している。
【００３８】
シリンダレンズ固定部３３０は、湾曲部３３１以外の部分（例えば屈曲部３３２や先端部３３３）がアパーチャスリット形成部３２０の方向に押圧されると、湾曲部３３１が弾性変形によりさらに湾曲する。この押圧された状態では、復元力によって、例えば屈曲部３３２の位置は、アパーチャスリット形成部３２０から離れる方向に変位しようとする。すなわち、図４に示すように固定部材３００が基部２００に固定された状態では、シリンダレンズ固定部３３０の湾曲部３３１が上記のように弾性変形している場合、シリンダレンズ固定部３３０によって、シリンダレンズ１３０が壁２０２側に押圧されている。シリンダレンズ１３０は当該押圧により、シリンダレンズ固定部３３０と壁２０２とにより挟持されて、基部２００内に固定される。
【００３９】
図５（ｃ）に示されるように、シリンダレンズ固定部３３０の開口部３３０Ａは、この方向（各レーザ光の略進行方向）から見て、アパーチャスリット１２１〜１２４と重なっていないため、アパーチャスリット１２１〜１２４を通過した光は全て、シリンダレンズ１３０に入射する。言い換えれば、シリンダレンズ固定部３３０は、アパーチャスリット１２１〜１２４からシリンダレンズ１３０へ入射するレーザ光の光路に影響を与えないような形状になっている。
【００４０】
次に、光源ユニット１００の組み立て手順について説明する。なお、基部２００の貫通孔２１１〜２１４には既にＬＤ１０１〜１０４が取り付けられているものとする。
【００４１】
第一に、コリメートレンズ１１１〜１１４を備えた鏡枠１１〜１４を基部２００のスペースＳ１に並べる。
【００４２】
第二に、固定部材３００を所定位置に取り付け、ネジ止めする。ネジ止めすることにより、鏡枠１１〜１４は、固定部材３００の押圧部３１１〜３１４により基部２００の内壁に向けて押圧されて固定される。
【００４３】
第三に、シリンダレンズ１３０を図４中上側（副走査方向上側）からスライドインさせる。基部２００のスペースＳ２には、シリンダレンズ固定部３３０が位置している。シリンダレンズ固定部３３０の屈曲部３３２と壁２０２（コの字の連結部）との間の間隔は、シリンダレンズ１３０の中央部付近の厚みよりも狭くなるよう構成されている。よって、シリンダレンズ１３０をスペースＳ２内にスライドさせていくと、屈曲部３３２がシリンダレンズ１３０の表面により押され、シリンダレンズ固定部３３０の湾曲部３３１は次第に弾性変形する。シリンダレンズ１３０が所定位置に配置された状態では、シリンダレンズ１３０は、屈曲部３３２により壁２０２側へ押圧されるので、シリンダレンズ１３０は基部２００内に固定される。
【００４４】
以上の第一から第三の手順によれば、４つのコリメータレンズ、４つのアパーチャスリット、１つのシリンダレンズを光源ユニット１００内に固定するために、１つの固定部材３００を用いるだけで済む。また、４つのコリメータレンズを固定すると同時に、アパーチャスリットが位置決めされる。さらに、シリンダレンズ１３０は、スライドして固定位置に押し込むことができるため、組立作業が容易である。なお、シリンダレンズ１３０をスライドインさせる際に、シリンダレンズ１３０表面とシリンダレンズ固定部３３０との間に摩擦が生じ、シリンダレンズ１３０表面に細かなキズが付く可能性があるが、シリンダレンズ固定部３３０は開口部３３０Ａを有しているため、シリンダレンズ１３０表面のうちのレーザ光の光路に関係する部分には、そのようなキズは付かない。つまり、屈曲部３３２は、シリンダレンズ１３０の表面のうちレーザ光の光路に関係する部分には触れることがない。
【００４５】
したがって、本発明に係る走査光学装置によれば、複数の光学部材（コリメートレンズ、シリンダレンズ）を１つの固定部材を用いて固定することができるので、従来よりも部品点数が少なく且つ組立工数が少なくなる。
【００４６】
なお、本発明に係る走査光学装置は上記の実施形態に限定されるものではなく、その趣旨を逸脱しない範囲で種々の変形が可能である。
【００４７】
例えば、固定部材３００のシリンダレンズ固定部３３０の先端部３３３は、閉じた形状としたが、開放した形状であってもよい。また、シリンダレンズ固定部３３０を板バネ状としたが、アパーチャスリット１２１〜１２４によるレーザ光の光路と干渉しない位置に巻きばねを設けて、当該巻きばねでシリンダレンズ１３０を壁２０２側へ押圧するような構成としてもよい。また、シリンダレンズ固定部３３０は、アパーチャスリット形成部３２０の副走査方向の一端から延出する構成としたが、主走査方向の端部から延出する構成でもよい。さらに、シリンダレンズ固定部３３０は、シリンダレンズ１３０を壁２０２側へ押圧する構成としたが、アパーチャスリット１２１〜１２４とシリンダレンズ１３０の間に壁２０２が配置されるように基部２００を設計して、シリンダレンズ１３０を壁２０２側へ押圧する（アパーチャスリット形成部３２０側へ引っ張る）構成としてもよい。また、さらに、基部２００に壁２０２を設けずに、固定部材３００がシリンダレンズ１３０を保持する部位を有していてもよい。すなわち、シリンダレンズ固定部３３０の代わりに、シリンダレンズ１３０をアパーチャスリット１２１〜１２４に対して所定位置に保持するような部位を固定部材３００に設けてもよい。
【００４８】
また、例えば、固定部材３００の鏡枠固定部３１０の当接部３１１Ａ〜３１４Ａの形状は、図５に示すような、鏡枠１１〜１４の外周面に一点で当接するような形状に限定されず、鏡枠１１〜１４の外周面を１／４周から半周程度覆うような湾曲形状であってもよい。
【００４９】
また、コリメートレンズ１１１〜１１４は、鏡枠１１〜１４に備えられたが、鏡枠１１〜１４を用いずにコリメートレンズ１１１〜１１４を直接、固定部材３００を用いて基部２００に固定する構成であってもよい。
【００５０】
また、本発明の実施形態の走査光学装置は、タンデム式の走査光学装置であったが、その光源の構成は、複数のレーザ光を単一の感光ドラム上に結像させるような方式の走査光学装置においても採用し得る。
【図面の簡単な説明】
【００５１】
【図１】本発明の実施形態における走査光学装置の内部を示す斜視図である。
【図２】走査光学装置内における各種光学部材の位置関係とレーザ光の光路を示した模式図である。
【図３】光源ユニットの内部構成およびレーザ光の光路を示した図である。
【図４】光源ユニットの斜視図である。
【図５】固定部材の外観図である。
【符号の説明】
【００５２】
１  走査光学装置
１０  ポリゴンミラー
１００  光源ユニット
１０１〜１０４  ＬＤ
１１１〜１１４  コリメートレンズ
１２１〜１２４  アパーチャスリット
１３０  シリンダレンズ
２００  基部
３００  固定部材
３１０  鏡枠固定部
３２０  アパーチャスリット形成部
３３０  シリンダレンズ固定部
３３２  屈曲部
【図１】
0004875570.tif 000002
【図２】
0004875570.tif 000003
【図３】
0004875570.tif 000004
【図４】
0004875570.tif 000005
【図５】
0004875570.tif 000006